(57)【要約】      （修正有）【課題】車椅子の前輪を上げる場合、車椅子の後部にあるティッピングバーを踏んで乗り越える。このバーは形状が棒状で滑り易い。又、力を入れすぎると踏み込みすぎて転倒の危険がある。現在の車椅子はほとんど、ティッピングバーと一体になっているので，介護者の体力低下及び介護者が変わった時車椅子の買換えが必要である。この２つの課題を解決する靴型脱着式ティッピングペダルを提供する。【解決手段】ティッピングバー４を靴の形にして滑り止め加工８を施し、色々のサイズをそろえる。介護者の体型・体力が変わっても、靴型脱着式ティッピングペダル４を変えるだけで対処出来る介護者の操作性を考慮して右靴用・左靴用をそろえた。脱着はカプラ６ａと６ｂを結合させる。転倒防止は、靴型脱着式ティッピングペダル底に脱着式の転倒防止バー５を取り付ける。尚、５は、色々な高さをそろえ底を広くし９滑り止め施工を施した。【選択図】図３
0003134843.tif 000002
【実用新案登録請求の範囲】
【請求項１】
靴底の形をしたペダルをティッピングバーの先端に取り付けることを特徴とする脱着自在の靴型脱着式ティッピングペダル
【請求項２】
前記ペダルの後ろ底に脱着自在の転倒防止バーを取り付けた請求項１記載の靴型脱着式ティッピングペダル
【考案の詳細な説明】
【技術分野】
【０００１】  本考案は、車椅子ティッピングバーの形状を変えることで安全性、且つ操作性を向上させた車椅子の靴型脱着式ティッピングペタルに関する。
【考案の開示】
【背景技術】
【０００２】  従来の車椅子ティッピングバー（図４）の多くは棒状のものであり、一部にはプレートタイプのものがある。
【特許文献１】登録実用新案第３０５６４３号
【考案の開示】
【考案が解決しようとする課題】
【０００３】  車椅子後部にあるティッピングバー１は、形状が棒状で、テコの原理でティッピングバーを踏んで前輪を上げ段差を乗り越える装置であるが、形状が棒状で操作時滑り易い、特に雨降りで濡れていると健常者でも滑って足を怪我することがある。又、介助者の体重（力）が無いと持ち上がらない。現状のティッピングバーの形状は、車椅子と一体となっているため、車椅子購入時にきめられている。老々介護（高年齢夫婦）では年々介助者の体力低下により、操作が出来なくなった時その都度ティッピングバーの長さを変える必要がある。又、介護者が変わった場合、ティッピングバーが介護者のニーズに合わず、車椅子の買い換えを余儀なくされている。このことが課題である。【０００４】段差を超えようとティッピングバーを踏むとき、力を入れすぎると車椅子が後方にひっくり返り怪我をする。転倒防止用の車輪付きの車椅子は、市販されているが車椅子車輪の大きさが変えられないので介護者が変わった場合、操作性が悪く車椅子の買い替えを余儀なくされている。この問題を解決することを課題とする。
【課題を解決するための手段】
【０００５】  以上の課題を解決するために、第一考案は、ティッピングバー先端に靴型脱着式ティッピングペダル（図１又は２）を取り付ける。尚、ペダルには表面に滑り止め加工８を設けることが好ましい。ペダルの形は、靴底の形で、いろいろのサイズをそろえた。又、右利き用（図１）、左利き用（図２）を用意することにより介護者が変わっても靴型脱着式ティッピングペダルをワンタッチで変えることが出来る。介護者の体力低下及び一時的に介護者が変わる場合でも、靴型脱着式ティッピングペダルを変えるだけ瞬時に解決できる。脱着は、一例としてカプラオス６ａを取り付けたペダルをティッピングバー先端のカプラメス６ｂと結合させる。【０００６】叉、第二考案は、靴型脱着式ティッピングペダル底４に脱着式の転倒防止バー５（利用者の体型・体力に合わせられるよう簡単に交換出来る）をワンタッチで取り付けることにより操作時、後ろに転倒しないため利用者の安全を確保できる。脱着は、一例としてカプラオス７ａをペダル底に取り付けた転倒防止バーのカプラメス７ｂに結合させる。
【考案の効果】
【０００７】  第一考案、によれば、ティッピングバーを一例として、（図１又は２）に示す様に、滑り止め８のついた靴底の形で、いろいろのサイズをそろえているので利用者の体型・体力に合わせ利用できる。このため、介護者が変わっても靴型脱着式ティッピングペダル（図１又は２）を変えるだけですぐに対処出来る。このため早急な処置が出来常に安全状態が確保できる。叉、車椅子の買い替えより、安価である。【０００８】第二考案によれば、靴型脱着式ティッピングペダル底に一例として（図３）に示す様に、脱着式の転倒防止バー５を取り付けることにより、後ろに転倒しない構造になっているため利用者の安全を確保できる。いろいろのサイズをそろえることで、利用者の体型・体力に合わせられる。叉、介護者が変わっても靴型脱着式ティッピングペダル底の転倒防止バー５を変えるだけで対処出来る。このことにより利用者の安全を確保できる。
【考案を実施するための最良の形態】
【０００９】この考案の一実施形態を示す。
第一考案は、従来のティッピングバー先端１を切って、（図２）に示すようにペダル上面に滑り防止を施した靴型脱着式ティッピングペダル（図２、又は３）を取り付ける。尚、滑り防止対策として、波形に固定せずゴム・クロス等滑らない物を貼り付けてもよい。長さは、例えば、１０ｃｍから２５ｃｍ（（図２、又は３））のサイズをそろえ利用者が選べるようにすることが好ましい。又、右利き用（図１）、左利き用（図２）を用意することにより介護者が変わっても靴型脱着式ティッピングペダルを変えるだけで、利用者の体型・体力に合わせられるよう簡単に交換出来るので、急な介護者の体力低下及び介護者が変わっても靴型脱着式ティッピングペダルを変えるだけで安全且つ簡単に操作できる。【００１０】第二考案によれば、靴型脱着式ティッピングペダル底に一例として（図３）に示す様に、脱着式の転倒防止バー５を取り付けることにより後ろに転倒することを防止出来、利用者の安全を確保できる。長さは、例えば、５ｃｍから１５ｃｍのサイズをそろえ利用者が選べるようにすることが好ましい。このことで、色々な利用者の体型・体力に合わせられる。叉、介護者が変わっても靴型脱着式ティッピングペダル底の転倒防止バー（５）を変えるだけで対処出来る。このことにより利用者の安全を確保できる。尚、図３に一例としてカプラ７ａ．７ｂを使用しての脱着方法を記載したがネジ式等簡単に取り外しが出来るものが好ましい。又、接地する部分を多くするためにリング状９に広く取ることが好ましい。
【産業上の利用可能性】
【００１１】本考案に係る靴型脱着式ティッピングペダルは、工業的に量産することが可能なため産業上の利用可能性を有す。
【図面の簡単な説明】
【００１２】
【図１】右靴型脱着式ティッピングペダルを示す平面図である。
【図２】左靴型脱着式ティッピングペダルを示す平面図である。
【図３】靴型脱着式ティッピングペダル断面図及び靴型脱着式転倒防止バーの説明図である。
【図４】従来技術の車椅子ティッピングバーを示す立体図である。
【符号の説明】
【００１３】１従来の棒状のティッピングバー
２右側靴型脱着式ティッピングペダル
３左側靴型脱着式ティッピングペダル
４靴型脱着式ティッピングペダル側面
５脱着式の転倒防止バー（ａ−ａの断面図）
６ａ脱着式ティッピングペダルカプラオス
６ｂ脱着式ティッピングペダルカプラメス
７ａ脱着式の転倒防止バー用カプラオス
７ｂ脱着式の転倒防止バー用カプラメス
８滑り止め
９脱着式の転倒防止バー滑り防止リング
【図１】
0003134843.tif 000003
0003134843.tif 000004
【図４】
0003134843.tif 000005
【手続補正書】
【提出日】平成19年4月20日(2007.4.20)
【手続補正１】
【補正対象書類名】図面
【補正対象項目名】全図
【補正方法】変更
【補正の内容】
【図１】
0003134843.tif 000006
【図２】
0003134843.tif 000007
【図３】
0003134843.tif 000008
【図４】
0003134843.tif 000009